(57)【要約】【課題】部材がコスト高とならないで、打ち込み深さを一定の深さに揃えることができる竪樋支持具の壁面への取付け方法を提供することを目的とする。【解決手段】釘３の頭部３１に竪樋把持部２が設けられた竪樋支持具１を建物の壁面Ｆに取付ける方法であって、建物の壁面Ｆと竪樋把持具２との間で竪樋支持具１の釘３の胴部３２を挟むようにして深さ調整ストッパー４を取付けから、釘３を壁面Ｆに打ち付ける。【選択図】      図２
2004190343.tif 000002
【特許請求の範囲】
【請求項１】
釘の頭部に竪樋把持部が設けられた竪樋支持具を建物の壁面に取付ける方法であって、建物の壁面と竪樋把持具との間で竪樋支持具の釘の胴部を挟むようにして深さ調整ストッパーを取付けから、釘を壁面に打ち付けることを特徴とする竪樋支持具の壁面への取付け方法。
【発明の詳細な説明】
【０００１】
【発明の属する技術分野】
本発明は、竪樋を建物に取り付ける際に使用する竪樋支持具の取付け方法に関する。
【０００２】
【従来の技術】
従来、釘の頭部に竪樋把持部が設けられた竪樋支持具として、竪樋把持部の基部に突設したスリーブ管内にその長さよりもかなり長い釘が挿着されたものが知られている（例えば、特許文献１参照。）。
【０００３】
【特許文献１】
実開平６─８３８２８号公報（第１図及び第３図）
【発明が解決しようとする課題】
【０００４】
しかしながら、上述の従来の竪樋支持具は、建物の壁面に取付けるときに、スリープ管により釘の打ち込み深さを均等化できるものであるが、竪樋把持部にスリープ管を一体に形成するために部材のコストが高くなってしまうという問題がある。
【０００５】
本発明は上記従来の問題を解消しようとするものであり、その目的とするところは、部材がコスト高とならないで、打ち込み深さを一定の深さに揃えることができる竪樋支持具の取付け方法を提供することにある。
【０００６】
【課題を解決するための手段】
上記目的を達成するために、本発明の竪樋支持具の取付け方法では、釘の頭部に竪樋把持部が設けられた竪樋支持具を建物の壁面に取付ける方法であって、建物と竪樋把持具との間で竪樋支持具の釘の胴部を挟むようにして深さ調整ストッパーを取付けから、釘を壁面に打ち付けることを特徴とした。
【０００７】
本発明において使用する深さ調整ストッパーは、この深さ調整ストッパーの一端側が壁面に当接したときに壁面と釘の頭部との距離が一定となるように釘の打ち込み深さを規制するものであって、釘の胴部を挟んで挿脱が可能な形状であればよい。
【０００８】
（作用）
施工手順を説明すると、まず、竪樋支持具の釘の胴部を挟むようにして深さ調整ストッパーを取付ける。次に、建物と竪樋把持具との間に深さ調整ストッパーを維持した状態で、壁面に釘を打ち付けると深さ調整ストッパーの一端側が壁面に当接し所定の打ち込み深さで竪樋支持具が取付けられる。最後に深さ調整ストッパーを取り外し、他方の竪樋支持具の壁面への取付けに使用する。
【０００９】
【発明の実施の形態】
本発明の実施の形態を図面に基づいて説明する。
【００１０】
図１及び図２は、本発明の実施の形態における第１実施例を説明する図であって、図１は竪樋支持具の釘に深さ調整ストッパーを取り付ける状態を示す斜視図、図２は同じく竪樋支持具を壁面に取り付ける手順を説明する断面図で、同図(a) は竪樋支持具の釘を金槌で打ち付ける状態を説明する図、同図(b) は竪樋支持具の釘を打ち付けが完了したあとで深さ調整ストッパーを取り外す状態を説明する図である。
【００１１】
図１において、竪樋支持具１は竪樋把持部２と釘３とから構成されており、深さ調整ストッパー４が釘３に挟んだ状態で挿着されるようになっている。
【００１２】
竪樋把持部２は、弾性を有した金属を素材として形成されており、竪樋を両側面から保持すべく対向して設けられた一対の挟着片２１，２１と、これらの挟着片２１の基端部を連結する連結片２２とにより略コの字状に形成されている。そして、前記連結片２２には、中央部に釘３を挿通して頭部３１を溶着するための挿通孔２４が開口されている。釘３は胴部３２が竪樋把持部２の挿通孔２４から突出して頭部３１が挿通孔２４の入り口側に溶着されており、先端部３３が尖っている。
【００１３】
深さ調整ストッパー４は、釘３の胴部３２を挟むために板状体が中央部でクリップ状に湾曲して折曲形成されたもので湾曲部４１と脚部４２とからなる。そして、湾曲部４１の両側端に鍔片４３、４３が設けられており、両側端の鍔片４３、４３間の寸法ｈが釘３の打ち込み深さを規制するようになっている。
【００１４】
次に、竪樋支持具の施工手順について説明する。
【００１５】
まず、竪樋支持具１の釘３に深さ調整ストッパー４を挟んだ状態で挿着し、湾曲部４１を釘の胴部３２に引っ掛けて、釘３の先端部３３を建物の壁面Ｆに当接して釘３の頭部３１を金槌５で打ち付ける。続いて、釘３の先端部３３が壁面Ｆに打ち込まれると、深さ調整ストッパー４の両側端の鍔片４３、４３が壁面Ｆと把持部２の背面とに挟まれた状態となる。
【００１６】
次に、壁面Ｆと把持部２の背面とに挟まれた深さ調整ストッパー４の脚部４２を下側から金槌５で打ち付けて取り外し、他の竪樋支持具１にも繰り返し使用して、それぞれの竪樋支持具１の釘３の打ち込み深さを均等化する。
【００１７】
図３及び図４は、本発明の実施の形態における第２実施例を説明する図であって、図３は竪樋支持具の釘に深さ調整ストッパーを取り付ける状態を示す斜視図、図４は同じく竪樋支持具を壁面に取り付ける手順を説明する断面図である。
【００１８】
この第２実施例の場合、図３に示すように、深さ調整ストッパー４ａが板状体を略コの字状に折曲形成し、頂片部４１ａと脚部４２ａとからなるものを用いたこと以外は第１実施例と同じである。
【００１９】
この場合、深さ調整ストッパー４ａは、竪樋支持具１の把持部２の内側から釘３の頭部３１と連結片２２を脚部４２ａ、４２ａの間に挿込むようになっており、頂片部４１ａが頭部３１に当接したときに、把持部２の裏側に脚部４２ａ、４２ａが突設し、脚部４２ａの脚の長さの寸法ｆが釘３の打ち込み深さを規制するようになっている。
【００２０】
この第２実施例の施工手順について説明する。
【００２１】
まず、竪樋支持具１の把持部２内側から釘３の頭部３１と連結片２２を脚部４２ａ、４２ａの間に押し込むようにして挿込んで釘３の胴部３２を挟んだ状態に挿着する。
次に、金槌５で深さ調整ストッパー４ａの頂片部４１ａを打ち付けると釘３の頭部３１も打ち付けられる、釘３の先端部３３が壁面Ｆ内に打ち込まれる。釘５の先端部３３が壁面Ｆに打ち込まれると、深さ調整ストッパー４の脚部４２ａ、４２ａの先端が壁面Ｆに当接し、所定の打ち込み深さとなる。最後に、深さ調整ストッパー４ａを手で取り除けばよい。
【００２２】
このようにして取り除かれた深さ調整ストッパー４ａは、他の竪樋支持具１の取付け作業にも繰り返し使用し、それぞれの竪樋支持具１の釘３の打ち込み深さを均等化することができる。
【００２３】
以上、実施例について説明してきたが具体的な構成はこの実施例に限られるものではなく、本発明の要旨を逸脱しない範囲の設計変更等があっても本発明に含まれるものである。
【００２４】
【発明の効果】
以上説明してきたように、本発明の竪樋支持具の壁面への取付け方法は、釘の頭部に竪樋把持部が設けられた竪樋支持具を建物の壁面に取付ける方法であって、建物の壁面と竪樋把持具との間で竪樋支持具の釘の胴部を挟むようにして深さ調整ストッパーを取付けから、釘を壁面に打ち付ける方法であるので、打ち込み深さを一定の深さに簡単に揃えることができ、また、深さ調整ストッパーを取り外して何回でも繰り返して使用することができ、部材がコスト高とならない。
【図面の簡単な説明】
【図１】本発明竪樋支持具の取付け方法の第１実施例を示す図で竪樋支持具の釘に深さ調整ストッパーを取り付ける状態を示す斜視図である。
【図２】同じく竪樋支持具を壁面に取り付ける手順を説明する断面図で、同図(a) は竪樋支持具の釘を金槌で打ち付ける状態を説明する図、同図(b) は竪樋支持具の釘を打ち付けが完了したあとで深さ調整ストッパーを取り外す状態を説明する図である。
【図３】本発明竪樋支持具の取付け方法の第２実施例を示す図で竪樋支持具の釘に深さ調整ストッパーを取り付ける状態を示す斜視図である。
【図４】同じく第２実施例における竪樋支持具を壁面に取り付ける手順を説明する断面図である。
【符号の説明】
１    竪樋支持具
２    竪樋把持部
２１  挟着片
２２  連結片
３    釘
３１  頭部
３２  胴部
３３  先端部
４    深さ調整ストッパー
【図１】
2004190343.tif 000003
【図２】
2004190343.tif 000004
【図３】
2004190343.tif 000005
【図４】
2004190343.tif 000006